(57)【要約】【課題】簡便で外観性の良好な健康グッズ、具体的には普段使用しているスリッパやサンダルあるいは靴内に装着することにより土踏まず（The arch of a foot）を押圧してツボを刺激し、疲労回復、健康増進をはかるための簡易な装着用具を提供する。【解決手段】土踏まず部分の面積内に相当する大きさの弾性膨張体の裏面に、履物上面に接着可能な接着手段を施してなるフットアーチプレスであるために、これを裏面の接着手段によりスリッパやサンダルあるいは靴内における土踏まず対面箇所に取り付けて、そのまま歩行することにより自然に土踏まず部分に対する圧迫・開放が繰り返されて足裏の多くのツボが集中する土踏まず部分が刺激される。【選択図】図１
0003133860.tif 000002
【実用新案登録請求の範囲】
【請求項１】
土踏まず部分の面積内に相当する大きさの弾性膨張体の裏面に、履物上面に接着可能な接着手段を施してなるフットアーチプレス。
【請求項２】
長さ：５０〜１００ｍｍ、幅：２５〜６０ｍｍ、高さ：１２〜３０ｍｍの弾性膨張体の裏面に、履物上面に接着可能な接着手段を施してなるフットアーチプレス。
【請求項３】
弾性膨張体内には、裏面寄りに位置して表面側が凹凸に形成された刺激板が装入されているところの請求項１又は請求項２に記載のフットアーチプレス。
【請求項４】
弾性膨張体内には、少なくとも複数の固形物が装入されているところの請求項１又は請求項２に記載のフットアーチプレス。
【請求項５】
履物上面に接着可能な接着手段が、剥離紙付きの粘着テープであるところの請求項１〜４のいずれか１に記載のフットアーチプレス。
【請求項６】
履物上面に接着可能な接着手段が、面ファスナーであるところの請求項１〜４のいずれか１に記載のフットアーチプレス。
【考案の詳細な説明】
【技術分野】
【０００１】
本考案は簡便で外観性の良好な健康グッズ、具体的には普段使用しているスリッパやサンダルあるいは靴内に装着することにより土踏まず（The arch of a foot）を押圧してツボを刺激し、疲労回復、健康増進をはかるための簡易な装着用具に関する。
【背景技術】
【０００２】
足裏のツボを刺激する健康器具については、これまでにたとえば断面略半円形のかまぼこ型をした本体の上面に多数の突起を形成したもの（登録実用新案第３１１１２６４号公報参照）や、これに手提げを取り付けて簡易に持ち運び可能としたもの（特開２００３−６７４号公報参照）などが知られている。
【０００３】
また、気密性を有する素材の二重包装構造の包袋内に流体を封入したインナーシューズと、該インナーシューズを収納した外靴とからなり、踵の上下足踏み動作により足首より下のインナーシューズ内の流体を移動させつつ各部の圧迫・開放を繰り返すことにより足全体の血行を促進するようにした健康シューズ（特開２００５−５８６１５号公報参照）なども知られている。
【０００４】
さらに片足が載置できる大きさの形状にし、しかも適所に突出長の異なる中空ピンを立設させた一対の扁平基板を、容器内に装入保持させて携帯可能にした「携帯用足踏み器」（特開２００３−２９０３１４号公報参照）なども知られている。
【０００５】
さらに、足踏み刺激部を挟んで前端部と一対の踵受部とを前後に設けた足載せ板を、前記足踏み刺激部が支点となるようにして、該足踏み刺激部を基台に横架させた支持軸で回動可能に支持するとともに、上記前端部と、上記一対の踵受部とを支持する支持体を基台に設け、かつ上記一対の踵受部を支持する支持体は足載せ板が異なる傾斜度合いで保持されるように、上記基台に高さ位置を可変させて固定できる構造にした「足用健康器具」（特開２００６−３２５９２７号公報参照）なども知られている。
【特許文献１】登録実用新案第３１１１２６４号公報
【特許文献２】特開２００３−６７４号公報
【特許文献３】特開２００５−５８６１５号公報
【特許文献４】特開２００３−２９０３１４号公報
【特許文献５】特開２００６−３２５９２７号公報
【考案の開示】
【考案が解決しようとする課題】
【０００６】
しかしながら、上記した特許文献１や特許文献２に記載のものは、多くは屋内での使用に限定され、散歩や旅行先、あるいは出張先などでの使用には殆ど不向きである。また引用文献３は、専ら足の血行を促進するための専用のシューズであるために、高価であるばかりでなく、旅行先や出張先での使用には不向きである。
【０００７】
さらに引用文献４は携帯可能ではあるが、容器内に装入保持させた状態で携帯するために、旅行や出張先にまで携帯するには現実性に欠ける。最後に引用文献５のものは、足用健康器具として比較的大掛かりであり、屋外での携帯は不可能であるばかりでなく高価で、しかも不使用時には邪魔になるなどの課題がある。
【課題を解決するための手段】
【０００８】
そこで本考案にあっては、屋内はもとより散歩や旅行先、あるいは出張先等、屋外においても疲労を感じた際に安価かつ簡便に入手でき、しかも取り付けが簡単であるばかりでなく、なによりも歩行しながら同時に足裏のツボ刺激を実施できるようにしたものであって、具体的には土踏まず部分の面積内に相当する大きさの弾性膨張体の裏面に、履物上面に接着可能な接着手段を施してなるフットアーチプレスに関する。
【０００９】
また本考案は、長さ：５０〜１００ｍｍ、幅：２５〜６０ｍｍ、高さ：１２〜３０ｍｍの弾性膨張体の裏面に、履物上面に接着可能な接着手段を施してなるフットアーチプレスにも関する。さらに本考案は、上記した２つの考案において、上記した弾性膨張体内には、必要に応じて裏面寄りに位置して表面側が凹凸に形成された刺激板が装入され、あるいは少なくとも複数の固形物が装入され、さらに上記した履物上面に接着可能な接着手段が、剥離紙付きの粘着テープ、あるいは面ファスナーであるところのフットアーチプレスにも関するものでもある。
【考案の効果】
【００１０】
本考案は上記したように土踏まず部分の面積内に相当する大きさの弾性膨張体の裏面に、履物上面に接着可能な接着手段を施してなり、あるいは長さ：５０〜１００ｍｍ、幅：２５〜６０ｍｍ、高さ：１２〜３０ｍｍの弾性膨張体の裏面に、履物上面に接着可能な接着手段を施してなるフットアーチプレスであるために、これを裏面の接着手段によりスリッパやサンダルあるいは靴内における土踏まず対面箇所に取り付けて、そのまま歩行することにより自然に土踏まず部分に対する圧迫・開放が繰り返されて足裏の多くのツボが集中する土踏まず部分が刺激される。また散歩や旅行先、出張先などで疲労感を感じた際に売店などにおいて安価に入手して簡単装着して簡便に用いることができる。
【考案を実施するための最良の形態】
【００１１】
以下において本考案の具体的な内容について、図１〜図３にあらわした実施例をもとに説明をする。図１およびそのＡーＡ線部分の縦断面図である図２は本考案の第１実施例をあらわしており、１は弾性膨張体、４は刺激板、５は接着手段をあらわしている。弾性膨張手段１は弾性体２およびこれを被覆する被覆材３からなり、スリッパやサンダル、あるいは靴内に取り付けが可能な大きさである必要があり、このような要求から長さ：５０〜１００ｍｍ、幅：２５〜６０ｍｍ、高さ：１２〜３０ｍｍの範囲内であるのが好ましい。
【００１２】
また形状についても、断面が図１にあらわしたような上面略扁平な楕円状や蒲鉾型、半円状などで、平面的には長円形や小判型のなまこ状に形成するのがもっとも好ましいが、必ずしもこれに限定されるものではなく台形状などでもよい。さらに弾性体２の材質についても、スリッパやサンダルあるいは靴内に取り付けて歩行した際に、土踏まず部分に違和感がない程度の圧迫・開放による適度の刺激を与えることができる程度のある程度の硬度と、表面軟質性を有する材質のもの、たとえば通常は軟質のゴム材、やや固めのウレタン材、あるいは布またはそれらの裁断された屑などが用いられるが、このほかにも格別材質の如何は問われない。
【００１３】
弾性膨張手段１は、たとえば上記した軟質のゴム材や、あるいはやや固めのウレタン材だけの弾性体２で構成してもよいが、図１の実施例においては、さらにこれらの外表面部をレザーや布、合成樹脂シートなどの被覆材３で覆っている。さらに弾性膨張体１内には、弾性体２における裏面寄りに位置して刺激板４が装入されている。
【００１４】
この刺激板４は必ずしも設けなくてもよいが、設けた場合には表面側（被覆材３に対面する側）に間歇的に凸部４ａを形成した凹凸部が形成されており、この場合における弾性体２は、ウレタンや綿などある程度軟質のものでよく、歩行に際して体重がかかった際に弾性膨張体１が十分に潰れて凸部４ａが足裏部分を十分に刺激できる程度にする。
【００１５】
また接着手段５は、図１の実施例の場合には剥離紙５ａを有した両面接着材が用いられており、剥離紙５ａを除去してスリッパやサンダル、あるいは靴の内底面などにおける土踏まずに対応する箇所に貼りつけて使用する。
【００１６】
さらに図３には本考案の第２実施例があらわされている。図３において１は弾性膨張体、５は接着手段、７は固形物をあらわしている。弾性膨張手段１の形状や大きさ、ならびに材質については上記した第１実施例のものと同様であるので詳細な説明を割愛するが、図３の実施例においては弾性体２およびこれを被覆する被覆材３の端部が、それぞれ薄いプレート状の基板６に貼り付けられている。
【００１７】
第１実施例と同様に、弾性体２単独か、あるいはこれを被覆材３で被覆した弾性膨張体１としたものだけでもよいが、第２実施例においては、さらに弾性体２中にヒノキ材あるいは合成樹脂材からなる多数の球状をした固形物７が装入されている。この場合の固形物７の形状・材質については、上記した球状のもののほかに円筒状その他形状の如何は問わないが、足で踏み込んで足裏を圧迫した際に、弾性体２が潰れて内部の各固形物７のうちのいくつかが足裏面を強く押圧できる程度の大きさ、ならびに形状のものが用いられ、また材質についてもゴム球、小豆粒、樹脂片、木片等種々のものが用いられる。
【００１８】
なおこの場合の固形物７の数については、固形物７の一個当たりの大きさが比較的大きい場合においては複数個で足り、また固形物７の一個当たりの大きさが比較的小さい場合においては多数個用いることになる。
【００１９】
さらに接着手段５は、図３の実施例の場合には多数のフック５ｂを施した面と多数のループ５ｃを有した面とによる、所謂面ファスナーが用いられている。多数のループ５ｃを有した面は、基板６の底面にループ５ｃを施した面を下にして予め接着剤などにより貼り付けられており、また多数のフック５ｂを施した面は、これをフック５ｂを施した面を上にした状態で予めスリッパやサンダル、あるいは靴の内底面に貼りつけておき、これに底面にループ５ｃを施した弾性膨張体１を取り付けて使用し、また不要時においては、これを取り外しておき、必要時に再度取り付けて繰り返し使用するようにすることもできる。
【００２０】
なお上記した多数のフック５ｂを施した面の片面（フック５ｂを施してない側）に剥離紙を介して粘着剤を施すようにしてもよい。
【図面の簡単な説明】
【００２１】
【図１】本考案の第１実施例であるフットアーチプレスの斜視図。
【図２】図１のフットアーチプレスのＡーＡ線長さ方向（土踏まず横断方向）における縦断面図。
【図３】本考案の第２実施例であるフットアーチプレスの長さ方向（土踏まず横断方向）における縦断面図。
【符号の説明】
【００２２】
１        弾性膨張体
２        弾性体
３        被覆材
４        刺激板
４ａ      凸部
５        接着手段
５ａ      剥離紙
５ｂ      フック
５ｃ      ループ
６        基板
７        固形物
【図１】
0003133860.tif 000003
【図２】
0003133860.tif 000004
【図３】
0003133860.tif 000005